(57)【特許請求の範囲】
【請求項１】
スキーやスノーボードなどの雪上滑走板に載って滑走面を滑走する際に使用される滑走練習装置であって、滑走面に対して平行方向に配置され、前記雪上滑走板に載った滑走者が滑走のための滑走補助手摺りとして掴む手摺り部と、この手摺り部に連設され該手摺り部を下端部の差し込み部を前記滑走面に差し込み設置して前記手摺り部を所定高さ位置に保持する手摺り支承部とを有し、前記手摺り支承部は、前記滑走面への差し込み設置状態において、前記手摺り部を滑走補助手摺りとして掴んで滑走する滑走者が載った雪上滑走板の接触を避けるために前記手摺り部より外方に退避した形状に構成されていることを特徴とする滑走練習装置。
【請求項２】
前記手摺り支承部は、前記滑走面に差し込む差し込み部と、この差し込み部と前記手摺り部との間に設けられる連設部とから成り、前記差し込み部を前記滑走面に差し込んだ状態において、前記雪上滑走板に載った滑走者が通過する前記手摺り部の内側でなく外側に前記差し込み部が位置する形状に前記連設部が構成されていることを特徴とする請求項１記載の滑走練習装置。
【請求項３】
前記手摺り支承部は、前記手摺り部を滑走面に対して平行状態で支持するように設けられ、前記連設部は、前記差し込み部を前記滑走面に差し込んだ状態において、前記雪上滑走板に載った滑走者が通過する前記手摺り部の内側でなく外側に前記差し込み部が位置する形状に設定されて、この手摺り部の下方であって前記手摺り支承部の内側に滑走者が載った雪上滑走板の接触をさけるための接触回避空間部が形成されるように構成されていることを特徴とする請求項２記載の滑走練習装置。
【請求項４】
前記連設部は、前記手摺り部から下方に向けて設けられる第一縦設部と、この第一縦設部の下端部から外方に向けて横設される横設部と、この横設部の側端部から下方に向けて設けられ下端部に前記差し込み部が設けられる第二縦設部とから成る形状であることを特徴とする請求項２，３のいずれか１項に記載の滑走練習装置。
【請求項５】
前記手摺り支承部には前記滑走面への差し込み位置を規制して前記手摺り部を所定高さ位置に保持する差し込み係止部が設けられていることを特徴とする請求項１〜４のいずれか１項に記載の滑走練習装置。
【請求項６】
前記手摺り支承部は、棒状体で構成され、前記手摺り部の前後端部に設けられていることを特徴とする請求項１〜５のいずれか１項に記載の滑走練習装置。
【請求項７】
前記手摺り部として直線棒形状の手摺り部を採用したことを特徴とする請求項１〜６のいずれか１項に記載の滑走練習装置。
【請求項８】
前記手摺り部として湾曲棒形状の手摺り部を採用したことを特徴とする請求項１〜６のいずれか１項に記載の滑走練習装置。
【請求項９】
請求項１〜８のいずれか１項に記載の滑走練習装置を複数用意し、この各滑走練習装置を前記手摺り部の長手方向が滑走方向となるように並設して形成される２つの列を、左右対向位置に間隔を介した状態で前記滑走面に設けることで、左右の前記手摺り部同士間を前記雪上滑走板に載った滑走者が通過する練習用コースが形成されるように構成されていることを特徴とする滑走練習装置。
【発明の詳細な説明】
【技術分野】
【０００１】
本発明は、例えばスキーやスノーボードなどの雪上滑走板に載って滑走面を滑走する際に使用される滑走練習装置に関するものである。
【背景技術】
【０００２】
従来から、スキーやスノーボードなどの練習装置として、例えば特開平９−６７１号や特開２００１−１４９５１８号に開示されるような練習装置（以下、従来例）が種々提案されている。
【０００３】
これら従来例は、ハンドル部が立設された装置本体に足載せ部を左右回転方向に揺動自在に設けたものであり、季節関係なく屋内でターン練習（ターン感覚の修得）ができるものとして有用である。
【先行技術文献】
【特許文献】
【０００４】
【特許文献１】特開平９−６７１号公報
【特許文献２】特開２００１−１４９５１８号公報
【発明の概要】
【発明が解決しようとする課題】
【０００５】
しかしながら、前述した従来例は、いずれも主に雪面を滑走した事のある経験者を対象としたものであって、しかも、実際に雪面を滑走するものではなく、特に初心者においては、実際のゲレンデで雪面を滑走しながら気軽に練習したいという要求がある。
【０００６】
本発明は、前述した要求に鑑みてなされたもので、従来に無い実用的な滑走練習装置を提供する。
【課題を解決するための手段】
【０００７】
添付図面を参照して本発明の要旨を説明する。
【０００８】
スキーやスノーボードなどの雪上滑走板30に載って滑走面Ｇを滑走する際に使用される滑走練習装置であって、滑走面Ｇに対して平行方向に配置され、前記雪上滑走板30に載った滑走者Ｐが滑走のための滑走補助手摺りとして掴む手摺り部１と、この手摺り部１に連設され該手摺り部１を下端部の差し込み部２’を前記滑走面Ｇに差し込み設置して前記手摺り部１を所定高さ位置に保持する手摺り支承部２とを有し、前記手摺り支承部２は、前記滑走面Ｇへの差し込み設置状態において、前記手摺り部１を滑走補助手摺りとして掴んで滑走する滑走者Ｐが載った雪上滑走板30の接触を避けるために前記手摺り部１より外方に退避した形状に構成されていることを特徴とする滑走練習装置に係るものである。
【０００９】
また、前記手摺り支承部２は、前記滑走面Ｇに差し込む差し込み部２’と、この差し込み部２’と前記手摺り部１との間に設けられる連設部２”とから成り、前記差し込み部２’を前記滑走面Ｇに差し込んだ状態において、前記雪上滑走板30に載った滑走者Ｐが通過する前記手摺り部１の内側でなく外側に前記差し込み部２’が位置する形状に前記連設部２”が構成されていることを特徴とする請求項１記載の滑走練習装置に係るものである。
【００１０】
また、前記手摺り支承部２は、前記手摺り部１を滑走面Ｇに対して平行状態で支持するように設けられ、前記連設部２”は、前記差し込み部２’を前記滑走面Ｇに差し込んだ状態において、前記雪上滑走板30に載った滑走者Ｐが通過する前記手摺り部１の内側でなく外側に前記差し込み部２’が位置する形状に設定されて、この手摺り部１の下方であって前記手摺り支承部２の内側に滑走者Ｐが載った雪上滑走板30の接触をさけるための接触回避空間部Ｓが形成されるように構成されていることを特徴とする請求項２記載の滑走練習装置に係るものである。
【００１１】
また、前記連設部２”は、前記手摺り部１から下方に向けて設けられる第一縦設部２ａと、この第一縦設部２ａの下端部から外方に向けて横設される横設部２ｂと、この横設部２ｂの側端部から下方に向けて設けられ下端部に前記差し込み部２’が設けられる第二縦設部２ｃとから成る形状であることを特徴とする請求項２，３のいずれか１項に記載の滑走練習装置に係るものである。
【００１２】
また、前記手摺り支承部２には前記滑走面Ｇへの差し込み位置を規制して前記手摺り部１を所定高さ位置に保持する差し込み係止部３が設けられていることを特徴とする請求項１〜４のいずれか１項に記載の滑走練習装置に係るものである。
【００１３】
また、前記手摺り支承部２は、棒状体で構成され、前記手摺り部１の前後端部に設けられていることを特徴とする請求項１〜５のいずれか１項に記載の滑走練習装置に係るものである。
【００１４】
また、前記手摺り部１として直線棒形状の手摺り部１を採用したことを特徴とする請求項１〜６のいずれか１項に記載の滑走練習装置に係るものである。
【００１５】
また、前記手摺り部１として湾曲棒形状の手摺り部１を採用したことを特徴とする請求項１〜６のいずれか１項に記載の滑走練習装置に係るものである。
【００１６】
また、請求項１〜８のいずれか１項に記載の滑走練習装置を複数用意し、この各滑走練習装置を前記手摺り部１の長手方向が滑走方向となるように並設して形成される２つの列を、左右対向位置に間隔を介した状態で前記滑走面Ｇに設けることで、左右の前記手摺り部１同士間を前記雪上滑走板30に載った滑走者Ｐが通過する練習用コースが形成されるように構成されていることを特徴とする滑走練習装置に係るものである。
【発明の効果】
【００１７】
本発明は上述のように構成したから、例えばスキーやスノーボードにおける初心者の滑走練習に適するなど、従来に無い実用的な滑走練習装置となる。
【図面の簡単な説明】
【００１８】
【図１】本実施例を示す斜視図である。
【図２】本実施例を示す斜視図である。
【図３】本実施例を示す斜視図である。
【図４】本実施例を示す斜視図である。
【図５】本実施例の使用状態説明図である。
【図６】本実施例の使用状態説明図である。
【発明を実施するための形態】
【００１９】
好適と考える本発明の実施形態（発明をどのように実施するか）を、図面に基づいて本発明の作用を示して簡単に説明する。
【００２０】
手摺り支承部２を滑走面Ｇに差し込み設置すると、手摺り部１が所定高さ位置に保持される。
【００２１】
この状態で、雪上滑走板30に載った滑走者Ｐは、手摺り部１を滑走補助手摺りとして掴みながら滑走面Ｇを滑走することができる。この際、手摺り支承部２は、滑走面Ｇへの差し込み設置状態において、手摺り部１を滑走補助手摺りとして掴んで滑走する滑走者Ｐが載った雪上滑走板30の接触を避けるために手摺り部１より外方に退避した形状に構成されており、滑走中に雪上滑走板30が手摺り支承部２に接触することが無い。
【００２２】
従って、滑走者は自分でスピードを調整しながら安心して滑走することができ、気軽に練習することができる。
【実施例】
【００２３】
本発明の具体的な実施例について図面に基づいて説明する。
【００２４】
本実施例は、スキーやスノーボードなどの雪上滑走板30に載って滑走面Ｇを滑走する際に使用される滑走練習装置である。
【００２５】
尚、本実施例では滑走面Ｇとしてスノーゲレンデ面（傾斜雪面）で使用した場合で説明しているが、例えば人工芝が敷設された人工ゲレンデ面でも良いなど、本実施例の特性を発揮する場所であれば適宜採用し得るものである。
【００２６】
具体的には、滑走練習装置は、滑走面Ｇに対して平行方向に配置され、雪上滑走板30に載った滑走者Ｐが滑走のための滑走補助手摺りとして掴む手摺り部１と、この手摺り部１に連設され該手摺り部１を下端部の差し込み部２’を滑走面Ｇに差し込み設置して手摺り部１を所定高さ位置に保持する手摺り支承部２とを有するものである。
【００２７】
本実施例では、図１に図示したように手摺り部１及び手摺り支承部２を、適宜な金属製の棒状部材（パイプ部材）をコ字状に折曲形成して構成されており、手摺り支承部２は、手摺り部１の前後端部に一対設けられ、手摺り部１を滑走面Ｇに対して平行状態で支持するように設けられている。尚、手摺り部１と手摺り支承部２とは別々の部材同士を連結して構成しても良いし、その素材も金属製に限らない。また、手摺り部１が滑走面Ｇに対して平行状態とは完全に平行というものに限られない。
【００２８】
手摺り部１は、図１に図示したような直線棒形状の手摺り部１と、図２，３に図示したような湾曲棒形状の手摺り部１とを設けている。滑走面Ｇに練習用コースを形成する場合、図１の滑走練習装置Ｘ１はストレート部を形成する場合に使用し、図２の滑走練習装置Ｘ２はコーナー部の内側を形成する場合に使用し、図３の滑走練習装置Ｘ３はコーナー部の外側を形成する場合に使用する。尚、手摺り部１の形状は前述したものに限らず、コースの形状に合わせて適宜設計し得るものである。
【００２９】
また、手摺り支承部２は、滑走面Ｇへの差し込み設置状態において、手摺り部１を滑走補助手摺りとして掴んで滑走する滑走者Ｐが載った雪上滑走板30及び滑走者Ｐの下半身（足部）の接触を避けるために手摺り部１より外方に退避した形状に構成されている。
【００３０】
具体的には、手摺り支承部２は、滑走面Ｇに差し込む差し込み部２’と、この差し込み部２’と手摺り部１との間に設けられる連設部２”とから成り、連設部２”は、差し込み部２’を滑走面Ｇに差し込んだ状態において、雪上滑走板30に載った滑走者Ｐが通過する前記手摺り部１の内側でなく外側に差し込み部２’が位置する形状に設定されて、この手摺り部１の下方であって手摺り支承部２の内側に滑走者Ｐが載った雪上滑走板30及び滑走者Ｐの下半身（足部）の接触をさけるための接触回避空間部Ｓが形成されるように構成されている（図５参照）。
【００３１】
この連設部２”について更に説明すると、手摺り部１から下方に向けて設けられる第一縦設部２ａと、この第一縦設部２ａの下端部から外方に向けて横設される横設部２ｂと、この横設部２ｂの側端部から下方に向けて設けられ下端部に前記差し込み部２’が設けられる第二縦設部２ｃとから成る形状（クランク形状）であり、この形状により前述した接触回避空間部Ｓが形成されることになる。
【００３２】
尚、連設部２”の形状は、前述したクランク形状に限らず、滑走面Ｇの斜度や雪質や滑走者Ｐのレベルなどに応じ、例えば図４に図示したような横設部２ｂを傾斜形状としたり、その他、湾曲形状としても良い。
【００３３】
また、手摺り支承部２（差し込み部２”）には、滑走面Ｇへの差し込み位置を規制して手摺り部１を所定高さ位置に保持する差し込み係止部３が設けられている。
【００３４】
この差し込み係止部３は、手摺り支承部２（差し込み部２”）に対する高さ位置を可変自在に設けられ、決めた位置で固定し得るように構成されている。尚、差し込み係止部３は無くても良い。
【００３５】
また、前後の手摺り支承部２（連設部２”）の間には補強棒体４が架設されており、この補強棒体４も手摺り部として機能する。
【００３６】
符号５は差し込み部２’の差し込みを良好にしつつ抜け方向への抵抗となる先鋭径大部である。
【００３７】
以上の構成から成る本実施例に係る滑走練習装置Ｘ１，Ｘ２，Ｘ３を用いて練習用コースを作ることができる。
【００３８】
具体的には、図６に図示したように滑走練習装置Ｘ１，Ｘ２，Ｘ３を手摺り部１の長手方向が滑走方向となるように並設して形成される２つの列を、左右対向位置に間隔を介した状態で滑走面Ｇに設けると、この左右の手摺り部１同士間を雪上滑走板30に載った滑走者Ｐが通過する練習用コースが形成される。
【００３９】
この状態で、雪上滑走板30に載った滑走者Ｐは、手摺り部１を滑走補助手摺りとして掴みながら滑走面Ｇを滑走することができる。滑走者Ｐは手摺り部１を強く掴んだり軽く掴んだり、時には掴んだ手を離したりしながらスピードを調整しながら滑走でき、また、直滑降だけでなく斜滑降など、練習コースのレイアウトに応じて滑走することになる為、自然にスキーやスノーボードのターン技術を修得することができる。
【００４０】
この際、手摺り支承部２は、滑走面Ｇへの差し込み設置状態において、手摺り部１を滑走補助手摺りとして掴んで滑走する滑走者Ｐが載った雪上滑走板30の接触を避けるために手摺り部１より外方に退避した形状に構成されており、滑走中に雪上滑走板30が手摺り支承部２に接触することが無い。
【００４１】
よって、本実施例によれば、滑走者Ｐは自分でスピードを調整しながら安心して滑走することができ、気軽にスキーやスノーボードを練習することができる。
【００４２】
また、本実施例は、連設部２”は、手摺り部１から下方に向けて設けられる第一縦設部２ａと、この第一縦設部２ａの下端部から外方に向けて横設される横設部２ｂと、この横設部２ｂの側端部から下方に向けて設けられ下端部に前記差し込み部２’が設けられる第二縦設部２ｃとから成る形状であるから、雪上滑走板30に載った滑走者Ｐが、手摺り部１を滑走補助手摺りとして掴みながら滑走面Ｇを滑走した際にかかる力（鉛直方向への力）を良好に支持することができる。
【００４３】
尚、本発明は、本実施例に限られるものではなく、各構成要件の具体的構成は適宜設計し得るものである。
【符号の説明】
【００４４】
Ｇ  滑走面
Ｐ  滑走者
Ｓ  接触回避空間部
１  手摺り部
２  手摺り支承部
２’  差し込み部
２”  連設部
２ａ  第一縦設部
２ｂ  横設部
２ｃ  第二縦設部
３  差し込み係止部
30  雪上滑走板
【図１】
0006925654.tif 000002
【図２】
0006925654.tif 000003
【図３】
0006925654.tif 000004
【図４】
0006925654.tif 000005
【図５】
0006925654.tif 000006
【図６】
0006925654.tif 000007